(57)【要約】【課題】車を駐車した場所が受信感度の悪い所であっても録音してしまうため、録音したラジオ放送の録音状態が良くないという課題がある。【解決手段】車載用オーディオ装置は、ラジオ放送を受信する受信手段と、ラジオ放送の情報を出力する出力手段と、受信手段が受信しているラジオ放送の受信感度を検知する受信感度検知手段と、イグニッションキーのＯＮ／ＯＦＦを検出する検出手段と、受信手段が受信したラジオ放送情報を録音する録音部と、検出手段の検出結果と受信感度検知手段の検知結果に基づいて、録音部にラジオ放送情報の録音を指示する制御部とを備える。【選択図】図１
2012090089.tif 000002
【特許請求の範囲】
【請求項１】
ラジオ放送を受信する受信手段と、
前記受信手段が受信しているラジオ放送の受信感度を検知する受信感度検知手段と、
イグニッションキーのＯＮ／ＯＦＦを検出する検出手段と、
前記受信手段が受信したラジオ放送を録音する録音手段と、
前記検出手段の検出結果と前記受信感度検知手段の検知結果に基づいて、前記録音手段にラジオ放送の録音を指示する制御部とを備えることを特徴とする車載用オーディオ装置。
【請求項２】
前記オーディオ装置は、
録音したい番組のジャンルを登録する記憶手段と、
現在受信中のラジオ放送番組が前記記憶手段に登録されているお気に入りのジャンルの番組であるか否かを判断する受信データ内容判断部とを備え、
前記制御部は、前記受信データ内容判断部の判断結果に基づいて、前記録音手段にラジオ放送の録音を指示することを特徴とする請求項１に記載の車載用オーディオ装置。
【発明の詳細な説明】
【技術分野】
【０００１】
本発明はラジオ放送を受信する車載用オーディオ装置に関するものである。
【背景技術】
【０００２】
従来のオーディオ信号の録音装置に関する技術として、イグニッションキーをＯＦＦにしても、オーディオ信号の録音装置に電気を供給して、オーディオ装置で流している曲が終了するまでその曲を録音装置に録音するものが知られている（例えば特許文献１参照）。
【先行技術文献】
【特許文献】
【０００３】
【特許文献１】特開２０００−３５７３６３号公報
【発明の概要】
【発明が解決しようとする課題】
【０００４】
しかしながら、ラジオ放送を録音する場合、従来の車載用オーディオ装置では、車を駐車した場所が受信感度の悪い所であっても録音してしまうため、録音したラジオ放送の録音状態が良くないという問題があった。
【課題を解決するための手段】
【０００５】
上記課題を解決するために本発明の車載用オーディオ装置は、ラジオ放送を受信する受信手段と、受信手段が受信したラジオ放送の感度を検知する受信感度検知手段と、イグニッションキーのＯＮ／ＯＦＦを検出する検出手段と、受信手段が受信したラジオ放送を録音する録音部と、検出手段の検出結果と受信感度検知手段の検知結果に基づいて、録音部にラジオ放送の録音を指示する制御部とを備えることを特徴とする。
【発明の効果】
【０００６】
本発明によれば、車載用オーディオ装置において、イグニッションキーをＯＦＦにした場合に、受信しているラジオ放送の受信感度に基づいて録音するか否かを判断するため、良好な受信状態の音声を録音することができる。
【図面の簡単な説明】
【０００７】
【図１】本発明の実施の形態における車載用オーディオ装置のブロック図
【図２】本発明の実施の形態における車載用オーディオ装置の動作説明のためのフロー図
【発明を実施するための形態】
【０００８】
以下、本発明の実施の形態における車載用オーディオ装置について図面を参照しながら説明する。
【０００９】
図１は本発明の実施の形態における車載用オーディオ装置のブロック図である。
【００１０】
図１において、車載用オーディオ装置は、ラジオ放送を受信するアンテナ１と、このアンテナ１から受信したラジオ放送を記憶することができるオーディオ機器２と、このオーディオ機器が記憶したラジオ放送を出力できるスピーカ３とを有している。
【００１１】
オーディオ機器２は、アンテナ１から受信したラジオ放送の電波を電気信号に変換する
ラジオチューナ２１と、ラジオチューナ２１に接続され、ラジオチューナ２１が受信するラジオ放送の受信感度（受信する電波の強さ）を検知する受信感度検知部２２を有する。
【００１２】
受信感度を検知する手段は公知の手段を用いており、本実施の形態のラジオ放送の場合、受信した信号のＳ（Ｓｉｇｎａｌ  Ｓｔｒｅｎｇｔｈ）メータを検出する。Ｓメータは、電波強度を示し、受信した電波の強さを１〜９の数値で示すものである。
【００１３】
電波の強さのうち、１は「微弱でかろうじて受信できる信号」に相当する。２は「大変弱い信号」に相当する。３は「弱い信号」に相当する。４は「弱いが受信容易な信号」に相当する。５は「かなり適度な強さの信号」に相当する。６は「適度な強さの信号」に相当する。７は「かなり強い信号」に相当する。８は「強い信号」に相当する。９は「極めて強い信号」に相当する。
【００１４】
この受信感度検知部２２は、オーディオ機器が受信しているラジオ放送の強さが５以上であるか否か判断し、判断結果を制御部２３に送信する。なお、受信感度検知部２２の判断基準の設定は変更することができる。
【００１５】
さらに、オーディオ機器２は、ラジオチューナ２１に接続される受信データ内容判断部２４を有し、ラジオチューナ２１が受信したラジオ放送の内容を受け取る。この受信データ内容判断部２４は、お気に入り番組のジャンル（スポーツ・音楽・ニュース等）を記憶している記憶部２５と接続しており、受信しているラジオ放送の番組が記憶部２５内のお気に入りのジャンルに当てはまるかどうかを判定し、判定結果を制御部２３に送信する。
【００１６】
さらに、オーディオ機器２は、ＡＣＣ（Ａｃｃｅｓｓｏｒｙ）電源検出部２６を有する。ＡＣＣ電源検出部２６は車載オーディオ装置が内臓されている車に設けられたイグニッションキー（図示せず）のＯＮ／ＯＦＦを検出し、検出結果を制御部２３に送信する。
【００１７】
オーディオ機器２内の制御部２３は、上述の受信感度検知部２２と、受信データ内容判断部２４と、ＡＣＣ電源検出部２６とに接続されており、これらの各部から送信される結果に基づいてラジオ放送を録音部２７に出力する。録音部２７は、制御部２３から出力されたラジオ放送を録音する。
【００１８】
アンプ２８は、ラジオチューナ２１と、制御部２３と、スピーカ３とに接続している。このアンプ２８は、ラジオチューナ２１から出力されるラジオ放送の音声信号を所定の音量になるように増幅する。また、このアンプ２８は、録音部２７から制御部２３を解してラジオ放送の音声信号が入力され、この音声信号を所定の音量になるように増幅する。増幅された音声信号は、スピーカ３から音として出力される。
【００１９】
以上のように構成された車載用オーディオ装置について、以下にその処理動作を説明する。
【００２０】
図２は本発明の実施の形態における車載用オーディオ装置のフロー図である。
【００２１】
まず、ステップＳ００１に示すように、ＡＣＣ電源検出部２６によってイグニッションＯＦＦを検出したことを契機に処理を開始する。
【００２２】
ステップＳ００１でＡＣＣ電源検出部２６によってイグニッションＯＦＦと検出されると、ステップＳ００２に示すように、制御部２３はラジオ放送が録音中になっていないかどうかを判断する。
【００２３】
ステップＳ００２でＹＥＳの場合、すなわち、車載用オーディオ装置が録音中ではないと判断した場合、ステップＳ００３に示すように、受信データ内容判断部２４が現在受信中の番組が記憶部２５に登録されているお気に入りのジャンルの番組であるか否かを判断する。
【００２４】
ステップＳ００３でＹＥＳの場合、すなわち現在受信中の番組が記憶部２５に登録されているお気に入りのジャンルの番組であると判断した場合、ステップＳ００４に示すように受信感度検知部２２は受信しているラジオ放送の受信感度が５以上か否かを判断する。
【００２５】
ステップＳ００４でＹＥＳの場合、すなわち受信感度検知部２２が受信しているラジオ放送の受信感度が５以上であると判断した場合、ステップＳ００５に示すように録音部２７はラジオ放送の録音を開始する。
【００２６】
そして、ステップＳ００６に示すように、制御部２３は録音中の番組が終了したか否かを判断する。
【００２７】
ステップＳ００６でＹＥＳの場合、すなわち録音していた番組が終了した場合、ステップ７に示すように、録音部２７はラジオ放送の番組の録音を終了する。そして、ステップＳ００８に示すように、本処理を終了する。
【００２８】
ステップＳ００２に戻り、ステップＳ００２で車載用オーディオ装置がラジオ放送を録音中と判断した場合、Ｓ００９に示すように番組が終了するまで録音を継続する。そして番組が終了すると、ステップＳ００８に示すように本処理を終了する。
【００２９】
ステップＳ００３に戻り、ステップＳ００３でＮＯの場合、すなわち受信データ内容判断部２４で現在受信中の番組が登録されているお気に入りのジャンルの番組ではない場合は、ステップＳ００８に示すように本処理を終了する。
【００３０】
ステップＳ００４に戻り、ステップＳ００４でＮＯの場合、すなわち受信感度検知部２２が受信しているラジオ放送の受信感度が５以上でないと判断した場合、ステップＳ００８で示すように本処理を終了する。
【００３１】
ステップＳ００６に戻り、ステップ６でＮＯの場合、すなわち録音していた番組が終了していない場合、ステップＳ００５に示すように、録音部２７は録音を継続する。
【００３２】
このように、車載用オーディオ装置は、録音中にイグニッションキーをＯＦＦにした場合に受信しているラジオ放送の受信の有無に基づいて録音するか否かを判断するため、良好な受信状態の音声を録音することができる。
【産業上の利用可能性】
【００３３】
本発明の車載用オーディオ装置は、ラジオ放送の録音を行う車載用オーディオ装置として有用である。
【符号の説明】
【００３４】
１    アンテナ
２    オーディオ機器
２１  ラジオチューナ
２２  受信感度検知部
２３  制御部
２４  受信データ内容判断部
２５  記憶部
２６  ＡＣＣ電源検出部
２７  録音部
２８  アンプ
３    スピーカ
【図１】
2012090089.tif 000003
【図２】
2012090089.tif 000004